(57)【要約】      （修正有）【課題】感染性医療廃棄物回収ポリ袋の一時保留、運搬過程等における回収ポリ袋からの感染性病原菌の飛散を防止して、人への感染を防ぐ安全な感染性医療廃棄物回収用ポリ袋を提供する。【解決手段】内側のポリ袋に感染性医療廃棄物等を入れ、内側のポリ袋と外側のポリ袋との間の間隙空洞内には次亜塩素消毒水を密封するとともに針孔口密閉テープを備えたポリ袋を挿入可能とした二重密封消毒袋６において、感染性医療廃棄物等を内側のポリ袋内に投入後、次亜塩素消毒水が密封されたポリ袋の針孔口密閉テープを手で剥がし、それを二重ポリ袋の間隙空洞部に挿入して二重密封消毒ポリ袋間隙空洞内全体に次亜塩素消毒水を自然分散させて、内側のポリ袋から漏れて飛散する感染性病原菌を効率良く殺菌消毒する。【選択図】図２
2009090059.tif 000002
【特許請求の範囲】
【請求項１】
ジッパー付密封ポリ袋内に、袋口折り返し部分を長くした通常ポリ袋を挿入して、二重になったポリ袋底辺のみを接着して一体のポリ袋に加工した二重密封消毒ポリ袋内に感染性医療廃棄物等を投入して、更に別途次亜塩素消毒水が密封されたポリ袋の針孔噴水口密閉テープを手で剥がし、それを二重ポリ袋口間隙空洞部に挿入する方法で二重密封消毒ポリ袋間隙内全体に次亜塩素消毒水を自然分散させて、感染性医療廃棄物回収ポリ袋の、一時保留、運搬過程等から飛散する、感染性病原菌の次亜塩素水殺菌消毒を効率良く行うことを特徴とした二重密封消毒ポリ袋
【発明の詳細な説明】
【技術分野】
【０００１】  感染性医療廃棄物をポリ袋で回収して安全に一時保留、運搬等を行う為の二重密封消毒ポリ袋を新に開発したものである。感染性医療廃棄物をポリ袋で回収し、ジッパーで袋口を閉じる前に、別途次亜塩素消毒水を密封したポリ袋の針孔噴水口密閉テープを手で剥がして、二重密封ポリ袋の間隙空洞部内へ挿入する方法で、ポリ袋間隙内全体に次亜塩素消毒水を自然分散させて、感染性医療廃棄物回収ポリ袋から飛散する感染性病原菌の殺菌消毒を効率良く行う、二重密封消毒ポリ袋である。
【背景の技術】
【０００２】
【特許文献１】調査の結果、本特許出願、二重密封消毒ポリ袋に抵触又は類似する特許文献等は全くなかった。
【非特許文献１】感染性医療廃棄物の回収に密封ポリ袋を使用する方法はあるが、二重密封ポリ袋間隙内に次亜塩素消毒水を自然分散させる方法で、感染性医療廃棄物回収ポリ袋から飛散する感染性病原菌を殺菌消毒する二重密封消毒ポリ袋に、抵触又は類似する文献等は無かった。
【発明の開示】
【発明が解決しようとする課題】
【０００３】  感染性医療廃棄物をポリ袋に入れて回収、一時保留、運搬等を行う場合、医療廃棄物から感染性病原菌が飛散して、人に感染する危険性のあることは以前から指摘されていたものである。本発明に於いて、この課題を解決する為、新に二重密封消毒ポリ袋を開発し、二重ポリ袋間隙内全体に次亜鉛素消毒水を自然分散させる方法で、感染性医療廃棄物回収ポリ袋から飛散する、感染性病原菌を殺菌消毒行い、人に感染しない安全な、二重密封消毒ポリ袋の開発行うことを本発明の課題としたものである。
【課題を解決するための手段】
【０００４】  感染性医療廃棄物回収ポリ袋の、一時保留、運搬等から、感染性病原菌が飛散しない防止手段として、ジクロルイソシアヌール酸ナトリウム消毒水（濃度３００〜１０００ｐｐｍ）を二重密封ポリ袋間隙内へ自然分散させて、感染性医療廃棄物から飛散する感染性病原菌の殺菌消毒行う方法を、新に考案したものである。その感染防止手段は感染性医療廃棄物をポリ袋で回収した後、ジッパーで袋口を閉じる前に、別途次亜塩素消毒水を密封したポリ袋の、針孔噴水口密閉テープを手で剥がし、更にそれを二重密封ポリ袋間隙空洞部へ挿入行い、二重密封ポリ袋間隙内全体に次亜塩素消毒水が自然分散される現象から、感染性医療廃棄物回収ポリ袋より飛散する感染性病原菌を完全に殺菌消毒行うことを、課題解決の手段としたものである。【０００５】  二重密封消毒ポリ袋の加工方法は、ジッパー付密封ポリ袋内に、別の袋口折り曲げ部分を長くした通常ポリ袋を挿入して、更にそれを一体の二重密封消毒ポリ袋に製品化する目的で、二重に重なったポリ袋底辺、のみをホット接着加工して、新しく二重密封消毒ポリ袋として、単体製品に加工仕上げしたものである。【０００６】  二重密封消毒ポリ袋で回収した、感染性医療廃棄物の消毒方法は、別途ジクロルイソシアヌール酸ナトリウム濃度（３００〜１０００ｐｐｍ）消毒水を密封したポリ袋の針孔口密閉テープを手で剥がし、それを更に二重密封消毒ポリ袋の間隙空洞部内へ挿入行う方法で二重密封ポリ袋間隙内に次亜塩素消毒水を自然分散させて、感染性医療廃棄物回収ポリ袋から飛散する感染性病原菌の殺菌消毒を効率良く行うものである。【０００７】  二重密封消毒ポリ袋間隙空洞部内に、別途次亜塩素消毒水密封ポリ袋の針孔密閉テープを手で剥がして挿入行う目的は、二重密封ポリ袋回収感染性医療廃棄物全体の次亜塩素消毒水殺菌を行うのではなく、一重ポリ袋から漏れて飛散する感染性病原菌に対して次亜塩素消毒水が殺菌作用を発揮するものである。その為、次亜塩素消毒水の消耗は少なくて済み、しかも殺菌消毒効果は、感染性医療廃棄物の入ったポリ袋外周全体に及ぶため、少量の消毒水でも、比較的効率良くポリ袋内医療廃棄物等の殺菌消毒ができる訳である。【０００８】  患者の吐物及び排泄物等は、水分が８０パーセント以上に及ぶことが有る為、ポリ袋回収及び、一時保留、運搬等は大変困難になってくる。その場合、別途高分子凝集剤又は吸水剤、トイレットペーパ等を適量ポリ袋内に投入して、ポリ袋内の水分調整を行うことが必要である。又次亜塩素消毒水にしても、菌種によって、通常の３００ｐｐｍ〜１０００ｐｐｍ濃度に調整して使用する必要性がある。又患者が要望すれば、市販防臭剤をポリ袋内に入れて快適に使用することも可能である。
【発明の効果】
【０００９】  従来、感染性医療廃棄物であっても、通常一枚のポリ袋単体で回収行い、一時保留、運搬等が常時行われてきたものである。しかしこの方法では、感染性医療廃棄物の入ったポリ袋から感染性の強い病原菌が飛散して、人に感染することが心配されていた。本発明、二重密封消毒ポリ袋を使用して、感染性医療廃棄物を回収した場合、二重密封ポリ袋間隙内全体に、次亜塩素消毒水が自然分散される為、感染性医療廃棄物より飛散する病原菌は全て殺菌消毒される訳である。二重密封消毒ポリ袋の発明効果は、感染性医療廃棄物回収ポリ袋の、一時保留、運搬過程に於いて、万一ポリ袋が破損した場合でも病原菌飛散が最小限に防止できる為、特にノロウイルス、Ｏ−１５７の院内感染、その他、療養所、学校、老人ホームに等に於ける集団感染、及び看護師、ホームヘルパーに多い肝炎、肺炎等の伝染病感染防止に、優れた感染防止効果が発揮されるものである。【００１０】  二重密封消毒ポリ袋の廃棄物消毒用に開発した、別途次亜塩素消毒水密封ポリ袋は一重ポリ袋回収医療廃棄物に対しても十分殺菌消毒効果が発揮されるものである。その方法は次亜塩素消毒水密封ポリ袋の針孔口密閉テープを手で剥がして、消毒水が嘖出するポリ袋を、一重ポリ袋で回収し医療廃棄物の中へ入れるだけで、簡単に次亜塩素水殺菌消毒効果が得られる訳である。経費は安価な次亜塩素消毒水密封ポリ袋だけで済み危険な一重ポリ袋回収医療廃棄物をより安全に廃棄することが出来るものである。
【発明を実施するための最良の形態】
【００１１】  感染性医療廃棄物の回収、一時保留、運搬等を行う場合、従来のポリ袋単体使用に代わって本発明、二重密封消毒ポリ袋を使用することが最も安全で望ましいことである毎年夏期にはＯ−１５７、冬期にはノロウイルス等が集団感染しているが、その他病院、歯科医院に於いても、最近全国的に院内感染が流行して社会問題となっているが。本発明、二重密封消毒ポリ袋を早期に使用して、院内感染、集団感染等の感染防止に寄与することが、発明を実施するための最良の形態である。
【実施例】
【００１２】  本発明、二重密封消毒ポリ袋試作品を複数の病院看護婦、在宅介護ホームヘルパー等に依頼して使用実験頂いた結果、全員が便利に使用できる医療廃棄物回収用ポリ袋であると好評を得た。特に患者のトイレ清掃に使用した、マスク、手袋、雑巾、その他の感染性医療廃棄物等の回収に、二重密封消毒ポリ袋及び次亜塩素消毒水密封ポリ袋は、持運びが簡単にでき、しかも安価な経費で使用できることから、患者及びヘルパーにとっても、二重密封消毒ポリ袋は、介護必需品であることがご理解戴けたようである。【００１３】  ノロウイルス院内感染、Ｏ−１５７集団感染防止等に、二重密封消毒ポリ袋を現場で、ホームヘルパーに使用して頂き、その安全性効果を確認して頂く計画でいたが、感染した患者に使用する機会が得られず、実施効果の回答は得られなかった。しかし自治体救急車乗務の救急隊員から、救急車内での患者吐物、大量出血処理廃棄物等を回収したポリ袋の車内、一時保留、運搬等については、確かに二重密封消毒ポリ袋使用の方が安全であり、特に狭い救急車内で、次亜塩素消毒水がポリ袋開封で必要量だけ使用できることは、現場での消毒処置が十分に出来るとして、好評頂いたものである。
【産業上の利用分野】
【００１４】（１）院内感染患者廃棄物回収用ポリ袋
（２）在宅感染患者廃棄物回収用ポリ袋
（３）学校その他集団感染者廃棄物回収用ポリ袋
（４）救急車収容患者の車内排泄物回収用ポリ袋
（５）次亜塩素消毒水密封ポリ袋清掃消毒用
【図面の簡単な説明】
【００１５】
【図１】次亜塩素消毒水密封ポリ袋単体斜視図
【図２】二重密封消毒ポリ袋全体斜視図
【図３】二重密封消毒ポリ袋容器装着斜視図
【図４】二重密封消毒ポリ袋廃棄物回収斜視図
【符号の説明】
１  消毒水密封ポリ袋針孔
２  針孔密閉テープ
３  消毒水密封ポリ袋本体
４  消毒水ポリ袋密封シール
５  二重密封ポリ袋底辺接着部
６  二重密封消毒ポリ袋本体
７  密封ポリ袋付ジッパー
８  ポリ袋折り返し部分
９  医療廃棄物投入口
１０  廃棄物収納容器
１１  ポリ袋密閉ジッパー
１２  医療廃棄物回収ポリ袋本体
【図１】
2009090059.tif 000003
【図２】
2009090059.tif 000004
【図３】
2009090059.tif 000005
【図４】
2009090059.tif 000006
【手続補正書】
【提出日】平成20年9月11日(2008.9.11)
【手続補正１】
【補正対象書類名】特許請求の範囲
【補正対象項目名】請求項１
【補正方法】変更
【補正の内容】
【請求項１】
ジッパー付密封ポリ袋内に、袋口折り返し部分を長くした通常ポリ袋を挿入して、二重になったポリ袋底辺のみを接着して一体のポリ袋に加工した二重密封消毒ポリ袋内に感染性医療廃棄物等を投入して、更に別途次亜塩素消毒水が密封されたポリ袋の針孔噴水口密閉テープを手で剥がし、それを二重ポリ袋口間隙空洞部に挿入する方法で二重密封消毒ポリ袋間隙内全体に次亜塩素消毒水を自然分散させて、感染性医療廃棄物回収ポリ袋、及び廃棄物収納器ペール装着用ポリ袋、洋式ポータブル便器装着用ポリ袋等に使用して、回収廃棄物の一時保留、運搬過程等から飛散する、感染性病原菌の次亜塩素水殺菌消毒を効率良く行うことを特徴とした二重密封消毒ポリ袋